【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  携帯装置におけるロック装置であって、前記携帯装置が主要体部（１０３、２０３、３０３、４０３、５０３、７０３）と可動突出部材（１０４、２０４、５２０）とを含み、前記突出部材（１０４、２０４、５２０）が前記主要体部（１０３、２０３、３０３、４０３、５０３、７０３）に対して少なくとも第１の位置と第２の位置との間で切換え可能であり、前記ロック装置がプランジャ・ユニット（１０５、２０５、３０５、４０５、５０５、６０５）とロック／リリース・ユニット（１００、２００、３００、４００、７００）とを含み、
前記ロック／リリース・ユニット（１００、２００、３００、４００、７００）が固定パーツ（１０１、２０１、３０１、４０１、７０１）と弾性パーツ（１０２、２０２、３０２、４０２、７０２）とを含み、
前記弾性パーツ（１０２、２０２、３０２、４０２、７０２）が前記固定パーツ（１０１、２０１、３０１、４０１、７０１）から離れる、少なくとも１つの弾力性の方向（Ｘ）を有し、
前記プランジャ・ユニット（１０５、２０５、３０５、４０５、５０５、６０５）が、前記ロック／リリース・ユニット（１００、２００、３００、４００、７００）の前記固定パーツ（１０１、２０１、３０１、４０１、７０１）と前記弾性パーツ（１０２、２０２、３０２、４０２、７０２）との間で、挿入後退方向（Ｙ）に沿って切換え可能であり、
前記ロック／リリース・ユニット（１００、２００、３００、４００、７００）が、前記弾力性の方向（Ｘ）に沿って前記弾性パーツ（１０２、２０２、３０２、４０２、７０２）の作動を可能にするための作動パーツ（２１２、３１２、７１２）も含み、その方向が前記挿入後退方向（Ｙ）にほぼ垂直であることを特徴とする、ロック装置。
【請求項２】  前記プランジャ・ユニット（１０５、２０５、３０５、４０５、５０５、６０５）が前記突出部材（１０４、２０４、５２０）に取り付けられ、前記ロック／リリース・ユニット（１００、２００、３００、４００、７００）が前記固定パーツ（１０１、２０１、３０１、４０１、７０１）により前記装置の前記主要体部（１０３、２０３、３０３、４０３、５０３、７０３）に取り付けられることを特徴とする、請求項１に記載のロック装置。
【請求項３】  前記プランジャ・ユニット（１０５、２０５、３０５、４０５、５０５、６０５）が前記装置の前記主要体部（１０３、２０３、３０３、４０３、５０３、７０３）に取り付けられ、前記ロック／リリース・ユニット（１００、２００、３００、４００、７００）が前記固定パーツ（１０１、２０１、３０１、４０１、７０１）により前記突出部材（１０４、２０４、５２０）に取り付けられることを特徴とする、請求項１に記載のロック装置。
【請求項４】  作動アーム（３１４、７１４）が前記弾力性の方向（Ｘ）に沿って細長に形成され、前記弾力性の方向（Ｘ）に沿って前記作動アーム（３１４、７１４）上に力が加えられた場合にロック動作またはロック解除動作を容易に行うことができるよう前記弾性パーツ（１０２、２０２、３０２、４０２、７０２）に取り付けられることを特徴とする、請求項１から請求項３までのいずれか一項に記載のロック装置。
【請求項５】  前記作動パーツ（２１２、３１２、７１２）が前記ロック／リリース・ユニット（１００、２００、３００、４００、７００）の前記弾性パーツ（１０２、２０２、３０２、４０２、７０２）の延長部を形成することを特徴とする、請求項４に記載のロック装置。
【請求項６】  前記ロック／リリース・ユニット（１００、２００、３００、４００、７００）が単一ユニットの形になっていることを特徴とする、請求項１から請求項５までのいずれか一項に記載のロック装置。
【請求項７】  前記ロック／リリース・ユニット（１００、２００、３００、４００、７００）がまとめて結合された少なくとも２つの個別のパーツの形になっていることを特徴とする、請求項１から請求項５までのいずれか一項に記載のロック装置。
【請求項８】  前記ロック／リリース・ユニット（１００、２００、３００、４００、７００）の前記弾性パーツ（１０２、２０２、３０２、４０２、７０２）と前記固定パーツ（１０１、２０１、３０１、４０１、７０１）がどちらも概して細長い形状になっており、それぞれの端部の一方でまとめて結合されていることを特徴とする、請求項１から請求項７までのいずれか一項に記載のロック装置。
【請求項９】  前記プランジャ・ユニット（１０５、２０５、３０５、４０５、５０５、６０５）が前記挿入後退方向（Ｙ）に沿って噛み合い位置に挿入されたときに前記ロック／リリース・ユニット（１００、２００、３００、４００、７００）の前記弾性パーツ（１０２、２０２、３０２、４０２、７０２）を前記固定パーツ（１０１、２０１、３０１、４０１、７０１）から容易に分離できるようにするために前記プランジャ・ユニット（１０５、２０５、３０５、４０５、５０５、６０５）が先細端部（１０７、２０７、６０７、７０７）を有することを特徴とする、請求項１から請求項８までのいずれか一項に記載のロック装置。
【請求項１０】  前記プランジャ・ユニット（１０５、２０５、３０５、４０５、５０５、６０５）を噛み合い位置にロックするために前記プランジャ・ユニット（１０５、２０５、３０５、４０５、５０５、６０５）がノッチ（１０６、２０６、３０６、４０６、６０６）を有することを特徴とする、請求項１から請求項９までのいずれか一項に記載のロック装置。
【請求項１１】  前記ノッチ（１０６、２０６、３０６、４０６、６０６）が傾斜エッジ（１０８、２０８、６０８）を含み、その傾斜方向が前記挿入後退方向（Ｙ）に関するものであることを特徴とする、請求項１０に記載のロック装置。
【請求項１２】  前記プランジャ・ノッチ（１０６、２０６、３０６、４０６、６０６）を噛み合い位置に噛み合わせるために前記ロック／リリース・ユニット（１００、２００、３００、４００、７００）がノッチ（２１０、３１０、７１０）を有することを特徴とする、請求項１０から請求項１１までのいずれか一項に記載のロック装置。
【請求項１３】  前記ロック／リリース・ユニット（１００、２００、３００、４００、７００）の前記ノッチ（２１０、３１０、７１０）が傾斜エッジ（２１１、７０８）を含み、その傾斜方向が前記挿入後退方向（Ｙ）に関するものであることを特徴とする、請求項１２に記載のロック装置。
【請求項１４】  前記ロック／リリース・ユニット（１００、２００、３００、４００、７００）の前記ノッチ（２１０、３１０、７１０）が前記弾性パーツ（１０２、２０２、３０２、４０２、７０２）内にあることを特徴とする、請求項１２から請求項１３までのいずれか一項に記載のロック配置。
【請求項１５】  主要体部（１０３、２０３、３０３、４０３、５０３、７０３）と、ヒンジ・ユニット（５２１）によって前記主要体部（１０３、２０３、３０３、４０３、５０３、７０３）に取り付けられた突出部材（１０４、２０４、５２０）とを含む携帯通信装置であって、前記突出部材（１０４、２０４、５２０）が前記主要体部（１０３、２０３、３０３、４０３、５０３、７０３）に対して少なくとも第１の位置と第２の位置との間で切換え可能であり、前記装置がプランジャ・ユニット（１０５、２０５、３０５、４０５、５０５、６０５）とロック／リリース・ユニット（１００、２００、３００、４００、７００）とを含むロック装置も含み、
前記ロック／リリース・ユニット（１００、２００、３００、４００、７００）が固定パーツ（１０１、２０１、３０１、４０１、７０１）と弾性パーツ（１０２、２０２、３０２、４０２、７０２）とを含み、
前記弾性パーツ（１０２、２０２、３０２、４０２、７０２）が前記固定パーツ（１０１、２０１、３０１、４０１、７０１）からの少なくとも１つの弾力性の方向（Ｘ）を有し、
前記プランジャ・ユニット（１０５、２０５、３０５、４０５、５０５、６０５）が、前記ロック／リリース・ユニット（１００、２００、３００、４００、７００）の前記固定パーツ（１０１、２０１、３０１、４０１、７０１）と前記弾性パーツ（１０２、２０２、３０２、４０２、７０２）との間の切り離し位置と噛み合い位置との間で、挿入後退方向（Ｙ）に沿って切換え可能であり、
前記ロック／リリース・ユニット（１００、２００、３００、４００、７００）が、前記弾力性の方向（Ｘ）に沿って前記弾性パーツ（１０２、２０２、３０２、４０２、７０２）の作動を可能にするための作動パーツ（２１２、３１２、７１２）も含み、その方向が前記挿入後退方向（Ｙ）にほぼ垂直であることを特徴とする、携帯通信装置。
【請求項１６】  前記プランジャ・ユニット（１０５、２０５、３０５、４０５、５０５、６０５）が前記突出部材（１０４、２０４、５２０）に取り付けられ、前記ロック／リリース・ユニット（１００、２００、３００、４００、７００）が前記固定パーツ（１０１、２０１、３０１、４０１、７０１）により前記装置の前記主要体部（１０３、２０３、３０３、４０３、５０３、７０３）に取り付けられることを特徴とする、請求項１５に記載の携帯通信装置。
【請求項１７】  前記プランジャ・ユニット（１０５、２０５、３０５、４０５、５０５、６０５）が前記装置の前記主要体部（１０３、２０３、３０３、４０３、５０３、７０３）に取り付けられ、前記ロック／リリース・ユニット（１００、２００、３００、４００、７００）が前記固定パーツ（１０１、２０１、３０１、４０１、７０１）により前記突出部材（１０４、２０４、５２０）に取り付けられることを特徴とする、請求項１５に記載の携帯通信装置。
【請求項１８】  作動アーム（３１４、７１４）が前記弾力性の方向（Ｘ）に沿って細長に形成され、前記弾力性の方向（Ｘ）に沿って前記作動アーム（３１４、７１４）上に力が加えられた場合にロック動作またはロック解除動作を容易に行うことができるよう前記弾性パーツ（１０２、２０２、３０２、４０２、７０２）に取り付けられることを特徴とする、請求項１５から請求項１７までのいずれか一項に記載の携帯通信装置。
【請求項１９】  前記作動パーツ（２１２、３１２、７１２）が前記ロック／リリース・ユニット（１００、２００、３００、４００、７００）の前記弾性パーツ（１０２、２０２、３０２、４０２、７０２）の延長部を形成することを特徴とする、請求項１８に記載の携帯通信装置。
【請求項２０】  前記ロック／リリース・ユニット（１００、２００、３００、４００、７００）が単一ユニットの形になっていることを特徴とする、請求項１５から請求項１９までのいずれか一項に記載の携帯通信装置。
【請求項２１】  前記ロック／リリース・ユニット（１００、２００、３００、４００、７００）がまとめて結合された少なくとも２つの個別のパーツの形になっていることを特徴とする、請求項１５から請求項１９までのいずれか一項に記載の携帯通信装置。
【請求項２２】  前記ロック／リリース・ユニット（１００、２００、３００、４００、７００）の前記弾性パーツ（１０２、２０２、３０２、４０２、７０２）と前記固定パーツ（１０１、２０１、３０１、４０１、７０１）がどちらも概して細長い形状になっており、それぞれの端部の一方でまとめて結合されていることを特徴とする、請求項１５から請求項２０までのいずれか一項に記載の携帯通信装置。
【請求項２３】  前記プランジャ・ユニット（１０５、２０５、３０５、４０５、５０５、６０５）が前記挿入後退方向（Ｙ）に沿って前記噛み合い位置に挿入されたときに前記ロック／リリース・ユニット（１００、２００、３００、４００、７００）の前記弾性パーツ（１０２、２０２、３０２、４０２、７０２）を前記固定パーツ（１０１、２０１、３０１、４０１、７０１）から容易に分離できるようにするために前記プランジャ・ユニット（１０５、２０５、３０５、４０５、５０５、６０５）が先細端部（１０７、２０７、６０７、７０７）を有することを特徴とする、請求項１５から請求項２２までのいずれか一項に記載の携帯通信装置。
【請求項２４】  前記プランジャ・ユニット（１０５、２０５、３０５、４０５、５０５、６０５）を前記噛み合い位置にロックするために前記プランジャ・ユニット（１０５、２０５、３０５、４０５、５０５、６０５）がノッチ（１０６、２０６、３０６、４０６、６０６）を有することを特徴とする、請求項１５から請求項２３までのいずれか一項に記載の携帯通信装置。
【請求項２５】  前記ノッチ（１０６、２０６、３０６、４０６、６０６）が傾斜エッジ（１０８、２０８、６０８）を含み、その傾斜方向が前記挿入後退方向（Ｙ）に関するものであることを特徴とする、請求項２４に記載の携帯通信装置。
【請求項２６】  前記プランジャ・ノッチ（１０６、２０６、３０６、４０６、６０６）を前記噛み合い位置に噛み合わせるために前記ロック／リリース・ユニット（１００、２００、３００、４００、７００）がノッチ（２１０、３１０、７１０）を有することを特徴とする、請求項２４から請求項２５までのいずれか一項に記載の携帯通信装置。
【請求項２７】  前記ロック／リリース・ユニット（１００、２００、３００、４００、７００）の前記ノッチ（２１０、３１０、７１０）が傾斜エッジ（２１１、７０８）を含み、その傾斜方向が前記挿入後退方向（Ｙ）に関するものであることを特徴とする、請求項２６に記載の携帯通信装置。
【請求項２８】  前記ロック／リリース・ユニット（１００、２００、３００、４００、７００）の前記ノッチ（２１０、３１０、７１０）が前記弾性パーツ（１０２、２０２、３０２、４０２、７０２）内にあることを特徴とする、請求項２６から請求項２７までのいずれか一項に記載の携帯通信装置。
【請求項２９】  前記ロック／リリース・ユニット（１００、２００、３００、４００、７００）が、前記ハウジング（１０３、２０３、３０３、４０３、５０３、７０３）の内部表面に取り付けられ、前記切り離し位置から前記噛み合い位置に切り換えるときに前記プランジャ（１０５、２０５、３０５、４０５、５０５、６０５）が入れるようにする前記ハウジング（１０３、２０３、３０３、４０３、５０３、７０３）内の穴（２１３、３１３、５１３、７１３）を介して配置されることを特徴とする、請求項１５から請求項２８までのいずれか一項に記載の携帯通信装置。